(57)【要約】【課題】低コストのパネル装置を提供する。【解決手段】吸気口９と排気口１０が形成された表面形成材５及び該表面形成材５の背方に設けられるベース３を備える。ベース３は、屋内側に開口する長方形箱状で前記吸気口９と排気口１０とを連通させる風洞部１３と、風洞部１３の長手方向両端部の両側板部１６の前端から風洞部１３の幅方向外側に向けて突出する突片部１５とを有する。吸気口９から風洞部１３内に空気を吸い込んで排気口１０から排出する送風手段が設けられる。ベース３は、風洞部１３の長手方向の一端部、他端部、及び中間部の夫々を構成する一端側部材２０、他端側部材２１、及び中間部材２２の三部材で構成される。三部材２０〜２２の夫々が板金材２３〜２５を曲げ加工して形成され、突片部１５が一端側部材２０の両側及び他端側部材２１の両側に一体に形成されている。【選択図】図１
2011069124.tif 000002
【特許請求の範囲】
【請求項１】
吸気口と排気口が形成された表面形成材及び該表面形成材の背方に設けられるベースとを備え、ベースは、前方に開口する長方形箱状で前記吸気口と排気口とを連通させる風洞部と、風洞部の長手方向両端部の両側板部の前端から風洞部の幅方向外側に向けて突出する突片部とを有し、吸気口から風洞部内に空気を吸い込んで排気口から排出する送風手段が設けられ、前記ベースがその長手方向の一端部、他端部、及び中間部の夫々を構成する一端側部材、他端側部材、及び中間部材の三部材で構成されると共にこれら三部材の夫々が板金を曲げ加工して形成され、前記突片部が一端側部材の両側及び他端側部材の両側に一体に形成されていることを特徴とするパネル装置。
【発明の詳細な説明】
【技術分野】
【０００１】
本発明は建築用パネルに屋内空気を循環させる機能を付加したパネル装置に関する。
【背景技術】
【０００２】
従来から建物の壁に通気路とファンを設けて屋内空気を循環させる機能を付加したものが例えば特許文献１により知られている。しかし、前記通気路やファンは壁を構成する外壁材と内壁材との間に設けられるため、外壁材や内壁材を設置する作業とは別に通気路やファンを設ける作業が必要となる。
【０００３】
そこで、本発明者は本発明に至る過程において建築用パネルに屋内空気を循環させる機能を付加したパネル装置を想起した。このパネル装置は図２に示されるようにベース３とこの屋内側に設けられる表面形成材５とを備えている。表面形成材５の一端部には吸気口９が形成され、他端部には排気口１０が形成されている。ベース３は、図５に示されるように屋内側に向けて開口する長方形箱状で前記吸気口９と排気口１０とを連通させる風洞部１３と、風洞部１３の長手方向両端部の両側板部の前端から風洞部１３の幅方向外側に向けて突出する突片部１５とで構成されている。風洞部１３には吸気口９から風洞部１３に空気を吸い込んで排気口１０から排出するファン１９が設けられ、ファン１９を駆動することによって屋内空気を循環させることができる。また、前記各突片部１５はパネル装置１を建物躯体に取り付ける際の固着部として利用される。
【先行技術文献】
【特許文献】
【０００４】
【特許文献１】特開２００２−２３９３２６号公報
【発明の概要】
【発明が解決しようとする課題】
【０００５】
ところで、建築用パネル２のベース３は、建築用パネル２の防火性を高めるために板金製とすることが好ましい。ここで、図５に示されるように長方形箱状の風洞部１３の両端部から突片部１５が突設されたベース３を板金から製造するには、例えば図６にハッチングで示される形状の板金材５０を図中一点鎖線で示される箇所で直角に折曲すると共に図中二点鎖線で示される箇所で反対側に向けて直角に折曲することが考えられる。
【０００６】
しかし、図６のような形状の板金材５０を矩形状の板金から板取りするには、クロスハッチングで示された多くの不要部５１を切除する必要があり、材料の無駄が多い。
【０００７】
本発明は上記事情に鑑みてなされたものであって、材料の無駄を省いて低コストで製造できるパネル装置を提供することを課題とする。
【課題を解決するための手段】
【０００８】
上記課題を解決するために本発明のパネル装置は以下の構成を有する。吸気口９と排気口１０が形成された表面形成材５及び該表面形成材５の背方に設けられるベース３とを備える。ベース３は、前方に開口する長方形箱状で前記吸気口９と排気口１０とを連通させる風洞部１３と、風洞部１３の長手方向両端部の両側板部１６の前端から風洞部１３の幅方向外側に向けて突出する突片部１５とを有する。吸気口９から風洞部１３内に空気を吸い込んで排気口１０から排出する送風手段が設けられる。ベース３は風洞部１３の長手方向の一端部、他端部、及び中間部の夫々を構成する一端側部材２０、他端側部材２１、及び中間部材２２の三部材で構成されると共にこれら三部材２０〜２２の夫々が板金材２３〜２５を曲げ加工して形成され、突片部１５が一端側部材２０の両側及び他端側部材２１の両側に一体に形成されている。
【０００９】
このパネル装置１は、送風手段により屋内空気を循環させることができ、また、風洞部１３を構成するベース３の長手方向両端部の両側に形成した各突片部１５の背面を、間柱等の建物躯体面に沿わせた状態で設置することができる。そして、これら突片部１５を有するベース３は、突片部１５を有する一端側部材２０及び他端側部材２１と、この間の中間部材２２の三部材で構成されると共にこれら三部材２０〜２２の夫々が板金材２３〜２５を曲げ加工して形成される。このため、突片部１５を有さない中間部材２２にあっては、矩形状の板金材２５を曲げ加工することによって形成することができ、この場合、矩形状の板金を切除することなくそのまま板金材２５として利用することができるので、材料の無駄を省いて低コストでパネル装置１を製造できる。
【発明の効果】
【００１０】
本発明にあっては、屋内空気を循環させる機能を有するパネル装置を製造するにあたって材料の無駄を省くことができ、低コストで製造することができる。
【図面の簡単な説明】
【００１１】
【図１】本発明の実施形態の一例のパネル装置を示す分解斜視図である。
【図２】同上のパネル装置の斜視図である。
【図３】同上のベースの板金材及び不要部を示す正面図である。
【図４】同上のパネル装置の設置状態を示す水平断面図である。
【図５】本発明に至る過程で想起したパネル装置の分解斜視図である。
【図６】同上のベースの板金材及び不要部を示す正面図である。
【発明を実施するための形態】
【００１２】
以下、本発明について添付図面に基づいて説明する。図１乃至４に示される本実施形態のパネル装置１は建物の内装壁の一部を構成するものであり、内装壁材として利用される建築用パネル２に屋内空気を循環させるサーキュレーター機能を付加したものである。なお、以下の説明では、パネル装置１が建物に設置されたときの方向を基準として説明し、屋内側を前方、屋外側を後方として説明する。
【００１３】
建築用パネル２は、図２のように上下に長い矩形状に形成され、図１のように表面を構成する表面形成材５とこの背方に設けられるベース３とで構成されている。ベース３は、後述する一端側部材２０、他端側部材２１、及び中間部材２２の三部材で構成される点が図５に示される従来のベース３と異なるが、これら三部材を組み合わせた形状は従来のベース３と同様の形状に形成され、前方に向けて開口する扁平で上下に長い長方形箱状の風洞部１３で主体が構成される。また、表面形成材５は風洞部１３の開口を塞ぐよう風洞部１３の前側に取付けられている。
【００１４】
表面形成材５は、下端部を構成する下カバー６と、上端部を構成する上カバー７と、この間の表面板８とで構成され、全体として上下に長い長方形板状に形成されている。下カバー６は風洞部１３の下端部の前方に配置され、下カバー６には吸気口９が形成されている。上カバー７は風洞部１３の上端部の前方に配置され、上カバー７には排気口１０が形成されている。吸気口９及び排気口１０の夫々は、表面形成材５の幅方向の略全長に亘る複数のスリット状の孔で構成されている。
【００１５】
風洞部１３とこの前方に配設された表面形成材５との間には通気用の空所が形成され、前記吸気口９と排気口１０は風洞部１３の内部を介して連通している。
【００１６】
風洞部１３の下端部には送風手段を構成するファン１９が配設され、ファン１９の前方にはファンカバー３８を介して脱臭フィルター２７が配設されている。
【００１７】
ファン１９は表面板８の前面に設けられた操作部１１を操作することで駆動する。ファン１９が駆動すると、屋内空気は吸気口９を介して風洞部１３内に吸い込まれ、この際、脱臭フィルター２７を通過して脱臭され、この後、ファン１９を通過して風洞部１３内を上昇し、排気口１０を介して屋内に排出される。これによって屋内空気を循環させると共に脱臭することができる。なお、風洞部１３内には、調湿機能や脱臭機能を有するハニカム材や、脱臭能力のある帯電微粒子水を生成する静電霧化装置等を設ける等して、パネル装置１の脱臭機能を高めたり、他の機能を付加してもよい。
【００１８】
風洞部１３の長手方向両端部における両側の側板部１６の前端部には、外側方に向けて突出する突片部１５が一体に形成されている。これら突片部１５と風洞部１３とでベース３が構成されている。各突片部１５には図示しない係合部が設けられて対応する前側のカバー６、７が着脱自在に係合される。なお、カバー６、７は表面板８に取付けられるものであってもよい。
【００１９】
各突片部１５はパネル装置１を建物躯体に固着される固着部を構成する。パネル装置１を施工するには、例えば図４に示されるようにベース３の風洞部１３を対向する２本の間柱１７の間に埋め込むと共に、各突片部１５の背面を被設置面を構成する間柱１７の前面に沿わせ、この状態で各突片部１５をねじ等の固着具を用いて間柱１７に固着する。このように建物壁に埋め込まれた状態で設置されたパネル装置１は、表面形成材５の前面が他の内装面と略面一となって内装面の一部を構成する。なお、パネル装置１は、各突片部１５の背面を図示しないスペーサーを介して壁面に当接し、これら各突片部１５を建物躯体に固着することで施工されるものあってもよい。
【００２０】
ベース３は、図１のようにベース３の下端部、上端部、及び中間部の夫々を構成する一端側部材２０、他端側部材２１、及び中間部材２２の三部材で構成され、各部材２０〜２２は板金製である。
【００２１】
一端側部材２０は、風洞部１３の下端部を構成する一端側風洞部２６で主体が構成されている。一端側風洞部２６は、背板部２８と、背板部２８の両側縁から前方に突出した側板部２９と、背板部２８の下縁から前方に突出する下板部３０とで構成され、上方及び前方に向けて開口すると共に両側及び下方が閉塞されている。両側板部２９の前端下部には、前記四枚の突片部１５のうちの下側二枚の突片部１５ａが夫々形成され、両突片部１５ａと一端側風洞部２６で一端側部材２０は構成されている。
【００２２】
他端側部材２１は他端側風洞部３４で主体が構成されている。他端側風洞部３４は、背板部３１と、背板部３１の両側縁から前方に突出した側板部３２と、背板部３１の上縁から前方に突出する上板部３３とで構成され、下方及び前方に向けて開口すると共に両側及び上方が閉塞されている。両側板部３２の前端上部には、ベース３の上側二枚の突片部１５ｂが夫々形成され、両突片部１５ｂと他端側風洞部３４とで他端側部材２１は構成されている。
【００２３】
中間部材２２は、水平断面コ字状に形成され、背板部３６と、背板部３６の両側縁から前方に突出した側板部３７と構成されて、上下及び前方に向けて開口している。
【００２４】
中間部材２２の下端部には一端側部材２０の上端部が接続され、中間部材２２の上端部には他端側部材２１の下端部が接続され、これによって一端側部材２０の一端側風洞部２６と他端側部材２１の他端側風洞部３４とが風洞状の中間部材２２を介して連通したベース３が形成される。なお、一端側部材２０と他端側部材２１の夫々は例えば溶接やビス等を用いて中間部材２２に接続される。
【００２５】
一端側部材２０、他端側部材２１、及び中間部材２２は、図３にハッチングで示される板金材２３、２４、２５の夫々を曲げ加工してなる板金曲げ加工品からなる。
【００２６】
中間部材２２の材料となる板金材２５は長方形状に形成されている。そして、この板金材２５を図中一点鎖線で示す箇所を境にして両側端部を紙面手前側に向けて直角に折曲することで、板金材２５の幅方向中央部からなる背板部３６と両側の側端部からなる側板部３７が形成される。
【００２７】
一端側部材２０の材料となる板金材２３及び他端側部材２１の材料となる板金材２４は、同一幅で且つ板金材２５よりも幅の広い矩形状の板金を用意し、これを図中クロスハッチングで示される不要部４１を切除することによって形成される。各板金材２３、２４は、板金材２５と同幅の矩形状部分で構成される主部４２と、主部４２の両側の辺から突出する片部４５と、他の一辺から突出する片部４６とからなる。
【００２８】
主部４２の両側端部を図中一点鎖線で示す箇所を境にして紙面手前側に向けて直角に折曲することで、主部４２の幅方向中央部からなる背板部２８又は３１と、主部４２の両側の側端部からなる側板部２９又は３２が形成される。また、主部４２に対して図中二点鎖線で示す箇所を境にして両側の片部４５と片部４６を紙面奥側に向けて直角に折曲することで、片部４５からなる突片部１５と、片部４６からなる下板部３０又は上板部３３が形成される。なお、ベース３の強度を高めるには、前記一端側部材２０の側板部２９と下板部３０、及び、他端側部材２１の側板部３２と上板部３３の夫々を溶接等により接続するとよい。
【００２９】
このようにベース３を一端側部材２０、他端側部材２１、及び中間部材２２の三部材で構成することにより、突片部１５を有さない中間部材２２を形成する板金材２５を矩形状に形成することができる。このため板金材２５を形成するにあたって矩形状の板金を切除することなくそのまま使用することができ、材料の無駄を省いて低コストでパネル装置１を製造できる。
【００３０】
なお、本実施形態のパネル装置１は建物の壁を構成するものであるが、天井等のその他の内装面を構成するものにも本発明は適用できる。
【符号の説明】
【００３１】
１  パネル装置
２  建築用パネル
３  ベース
５  表面形成材
９  吸気口
１０  排気口
１３  風洞部
１５  突片部
１６  側板部
２０  一端側部材
２１  他端側部材
２２  中間部材
２３  板金材
２４  板金材
２５  板金材
【図１】
2011069124.tif 000003
【図２】
2011069124.tif 000004
【図３】
2011069124.tif 000005
【図４】
2011069124.tif 000006
【図５】
2011069124.tif 000007
【図６】
2011069124.tif 000008